(57)【要約】【課題】重量の大きいレンズでも比較的小型で簡易な構成でガタなく高精度に移動できるレンズ鏡筒の提供すること。【解決手段】レンズを保持し、光軸方向に移動するレンズ保持枠と、該レンズ保持枠を光軸方向に移動可能に案内支持するガイド部材と、該レンズ保持枠を駆動させるために、リードスクリューを設けた出力軸に駆動力を伝達する駆動手段と、該レンズ保持枠に保持され、前記リードスクリューに噛合する本歯と、本歯と所定角度を有して配置され、本歯と挟持してリードスクリューを押える押え歯とを備えるラック部材とを有し、リードスクリューに対する押え歯の押圧力の分力による付勢方向に加算されるように、ガイド部材に対してレンズ保持枠を付勢する付勢手段を備えることを特徴とする。【選択図】図１
2019113649.tif 000002
【特許請求の範囲】
【請求項１】
レンズ（３）を保持し、光軸方向に移動する可動レンズ保持枠（６）と、前記可動レンズ保持枠（６）を光軸方向に移動可能に案内支持するガイド軸（１７）と、前記可動レンズ保持枠（６）を駆動させるためのスクリュー軸（１５ａ）を備えた、駆動力を伝達する駆動手段（１５）と、前記可動レンズ保持枠（６）に保持され、前記スクリュー軸（１５ａ）に噛合するラック本歯（１２ａ）と、前記スクリュー軸（１５ａ）を前記ラック本歯（１２ａ）と所定角度（θ１）を持って対向挟持して押える押え歯（１２ｂ）とを持つラック部材（１６）と、前記押え歯（１２ｂ）に加圧する腕部（１９ａ）を備えたねじりコイルバネ（１９）と、前記可動レンズ保持枠（６）に固定され、前記ガイド軸（１７）に対して付勢力を発生させる付勢部材（２０）と、を備え、前記ねじりコイルバネ（１９）により加圧される前記押え歯（１２ｂ）による前記可動レンズ保持枠（６）に働く分力の方向（Ｆ１）が、前記付勢部材（２０）による前記可動レンズ保持枠（６）に働く力の方向（Ｆ２）が同一方向であることを特徴とするレンズ駆動装置。
【請求項２】
前記可動レンズ保持枠（６）には、前記ガイド軸（１７）が嵌挿する嵌合穴（６ｃ、６ｄ）が両端に形成されたスリーブ（６ａ）が設けられており、前記ねじりコイルバネ（１９）により加圧される前記押え歯（１２ｂ）による前記可動レンズ保持枠（６）に働く付勢力と、前記付勢部材（２０）による前記可動レンズ保持枠（６）に働く付勢力が、前記スリーブの嵌合穴（６ｃ、６ｄ）の内周面を前記ガイド軸（１７）に常時接触させるように一定方向に作用して、前記可動レンズ保持枠（６）を付勢していることを特徴とする請求項１に記載のレンズ駆動装置。
【請求項３】
前記スリーブ（６ａ）には開口部（６ｅ）が設けられ、前記付勢部材（２０）は板ばねで構成されていることを特徴とする請求項１又は請求項２に記載のレンズ駆動装置。
【請求項４】
前記付勢部材（２０）は、前記開口部（６ｅ）に伸びる腕部（２０ｂ）を有し、前記腕部（２０ｂ）が前記ガイド軸（１７）に当接することで前記可動レンズ保持枠（６）を前記ガイド軸（１７）に対して付勢していることを特徴とする請求項３に記載のレンズ駆動装置。
【請求項５】
前記付勢部材（２０）は、前記開口部（６ｅ）に伸びる腕部（２０ｂ）を有し、前記腕部（２０ｂ）が球部材（２１）を挟持するとともに、前記ガイド軸（１７）に対して加圧することで前記可動レンズ保持枠（６）を前記ガイド軸（１７）に対して付勢していることを特徴とする請求項３又は請求項４に記載のレンズ駆動装置。
【請求項６】
前記付勢部材（２０）はマグネットで構成され、前記ガイド軸（１７）は磁性部材であって、前記付勢部材（２０）と前記ガイド軸（１７）に働く磁力による吸引力によって、前記可動レンズ保持枠（６）を前記ガイド軸（１７）に対して付勢していることを特徴とする請求項１又は請求項２に記載のレンズ駆動装置。
【請求項７】
前記ねじりコイルバネ（１９）により加圧される前記押え歯（１２ｂ）による前記可動レンズ保持枠（６）に働く分力（Ｆ１）と、前記付勢部材（２０）による前記可動レンズ保持枠（６）に働く力（Ｆ２）が共に、前記スリーブ（６ａ）の形成された嵌合穴（６ｃ）と、他端側の嵌合穴（６ｄ）の間の範囲内に作用していることを特徴とする請求項２乃至請求項６の何れか一項に記載のレンズ駆動装置。
【請求項８】
レンズ（３）を保持し、光軸方向に移動する可動レンズ保持枠（６）と、前記可動レンズ保持枠（６）を光軸方向に移動可能に案内支持するガイド軸（１７）と、前記可動レンズ保持枠（６）を駆動させるためのスクリュー軸（１５ａ）を備えた、駆動力を伝達する駆動手段（１５）と、前記可動レンズ保持枠（６）に保持され、前記スクリュー軸（１５ａ）に噛合するラック本歯（１２ａ）と、前記スクリュー軸（１５ａ）を前記ラック本歯（１２ａ）と所定角度（θ１）を持って対向挟持して押える押え歯（１２ｂ）とを持つラック部材（１６）と、前記押え歯（１２ｂ）に加圧する腕部（１９ａ）を備えたねじりコイルバネ（１９）と、前記可動レンズ保持枠（６）に固定され、前記ガイド軸（１７）に対して付勢力を発生させる付勢部材（２０）と、を備え、前記付勢部材（２０）による前記可動レンズ保持枠（６）に働く力（Ｆ２）によるモーメントの方向（Ｍ２）が、前記ねじりコイルバネ（１９）により加圧される前記押え歯（１２ｂ）による前記可動レンズ保持枠（６）に働く分力（Ｆ１）によるモーメントの方向（Ｍ１）に加算される方向に付勢力が作用していることを特徴とするレンズ駆動装置。
【請求項９】
前記可動レンズ保持枠（６）には、前記ガイド軸（１７）が嵌挿する嵌合穴（６ｃ、６ｄ）が両端に形成されたスリーブ（６ａ）が設けられており、前記ねじりコイルバネ（１９）により加圧される前記押え歯（１２ｂ）による前記可動レンズ保持枠（６）に働く付勢力と、前記付勢部材（２０）による前記可動レンズ保持枠（６）に働く付勢力が、前記スリーブの嵌合穴（６ｃ、６ｄ）の内周面を前記ガイド軸（１７）に常時接触させるように一定方向に作用して、前記可動レンズ保持枠（６）を付勢していることを特徴とする請求項８に記載のレンズ駆動装置。
【請求項１０】
前記付勢部材（２０）は板ばねで構成されていることを特徴とする請求項８又は請求項９に記載のレンズ駆動装置。
【請求項１１】
前記付勢部材（２０）はマグネットで構成され、前記ガイド軸（１７）は磁性部材であって、前記付勢部材（２０）と前記ガイド軸（１７）に働く磁力による吸引力によって、前記可動レンズ保持枠（６）を前記ガイド軸（１７）に対して付勢していることを特徴とする請求項８又は請求項９に記載のレンズ駆動装置。
【請求項１２】
前記ねじりコイルバネ（１９）により加圧される前記押え歯（１２ｂ）による前記可動レンズ保持枠（６）に働く分力（Ｆ１）と、前記付勢部材（２０）による前記可動レンズ保持枠（６）に働く力（Ｆ２）が共に、前記スリーブ（６ａ）の形成された嵌合穴（６ｃ）と、他端側の嵌合穴（６ｄ）の間の範囲外に作用していることを特徴とする請求項９乃至請求項１１の何れか一項に記載のレンズ駆動装置。
【発明の詳細な説明】
【技術分野】
【０００１】
本発明は、デジタルカメラ等に備えられた、レンズ鏡筒及びレンズ鏡筒を有する撮像装置に関する。
【背景技術】
【０００２】
撮像装置に用いられるレンズ鏡筒には、変倍または合焦のためにレンズ保持枠を光軸方向にガイド部材に沿って移動可能とするレンズ駆動装置が設けられている。レンズ保持部材とガイド部材との嵌合ガタにより姿勢の違いによるレンズ位置のずれや、撮影時の像ゆれが発生する虞がある。
【０００３】
特許文献１に記載されたレンズ駆動装置においては、レンズ保持枠をガタなく高精度に移動できるように、リードスクリューに対するラック部材の歯の押圧力を利用した歯とリードスクリューのリード角との相対角度によるねじり力によってレンズ保持枠を付勢している。また、ラック部材の押え歯を本歯に対して所定角度を有して配置し、リードスクリューに対するラック部材の歯の押圧力の分力によってレンズ保持枠を付勢している。いずれもリードスクリューに対するラック部材の歯の押圧力を利用している。
【先行技術文献】
【特許文献】
【０００４】
【特許文献１】特開２０１０−２４３９００号公報
【発明の概要】
【発明が解決しようとする課題】
【０００５】
しかしながら、レンズの重量が大きい場合、レンズ保持枠の自重による影響が強く、付勢力が効果的に働かず、効率よくガタを片寄せできないといった問題がある。ガタによる影響を小さくするためには、ガイド部材との嵌合部の全長を長くする必要があるが、レンズ鏡筒の大型化や設計自由度の低下に繋がる。他にも、付勢力を強くすることが考えられるが、リードスクリューに対するラック部材の歯の押圧力を強くすると、歯とリードスクリューの間に働く摩擦力が増加したり、リードスクリューへの歯の食いつきが生じたりすることで、レンズの駆動や精度に影響を与えてしまう。
【０００６】
本発明は、重量の大きいレンズでも比較的小型で簡易な構成でガタなく高精度に移動できるレンズ駆動装置を提供することを目的とする。
【課題を解決するための手段】
【０００７】
上記の目的を達成するために、本発明に係るレンズ駆動装置は、
レンズを保持し、光軸方向に移動するレンズ保持枠と、該レンズ保持枠を光軸方向に移動可能に案内支持するガイド部材と、該レンズ保持枠を駆動させるために、リードスクリューを設けた出力軸に駆動力を伝達する駆動手段と、該レンズ保持枠に保持され、前記リードスクリューに噛合する本歯と、本歯と所定角度を有して配置され、本歯と挟持してリードスクリューを押える押え歯とを備えるラック部材と、を有し、リードスクリューに対する押え歯の押圧力の分力による付勢方向に加算されるように、ガイド部材に対してレンズ保持枠を付勢する付勢手段を備えることを特徴とする。
【発明の効果】
【０００８】
本発明に係るレンズ駆動装置によれば、レンズ保持枠を効果的に付勢することができ、ガタなく高精度に移動できる。
【図面の簡単な説明】
【０００９】
【図１】本発明の一実施例であるフォーカス駆動レンズユニットの分解斜視図
【図２】本発明の一実施例である沈胴状態におけるレンズ鏡筒断面図
【図３】本発明の一実施例である繰り出し状態におけるレンズ鏡筒断面図
【図４】本発明の一実施例であるフォーカス駆動レンズユニットの斜視図
【図５】ラックとリードスクリューの噛合いを示す図
【図６】ラックの押え歯とリードスクリューの噛合いを示す図
【図７】レンズ保持枠のガタの片寄せにかかる断面概略図
【図８】その他の実施例におけるラックの押え歯とリードスクリューの噛合いを示す図
【図９】その他の実施例におけるガタの片寄せにかかる断面概略図（ボール）
【図１０】その他の実施例におけるガタの片寄せにかかる断面概略図（磁石）
【図１１】実施例２における付勢力の作用点を示す断面概略図
【図１２】実施例２における付勢力のその他の作用点を示す断面概略図
【発明を実施するための形態】
【００１０】
以下に、本発明の好ましい実施の形態を、添付の図面に基づいて詳細に説明する。
【実施例１】
【００１１】
図１は実施例におけるフォーカス駆動レンズユニットの分解斜視図である。図２は実施例である沈胴状態におけるレンズ鏡筒断面図である。図３は実施例である繰り出し状態におけるレンズ鏡筒断面図である。
【００１２】
本実施形態のレンズ鏡筒の構成について説明する。
【００１３】
図２、図３に示すように、本実施形態のレンズ鏡筒は、第１レンズ群１，第１レンズ群１を保持する第１レンズ保持枠４、第２レンズ群２、第２レンズ群２を保持する第２レンズ保持枠５、第３レンズ群３、第３レンズ群３を保持する第３レンズ保持枠６、光量を調節する絞りユニット７、シャッターユニット８を収納する。
【００１４】
レンズ鏡筒後部には、ＣＣＤなどの撮像素子９を保持する撮像素子保持ベース１０と、撮像素子保持ベース１０に固定されている固定筒１１を備える。レンズ鏡筒前部には第１レンズ保持枠４を収納するバリア筒１２を備え、バリア筒１２の内周側にバリア筒１２の回転を規制する直進筒１３が設けられている。バリア筒１２の光軸前方側には、レンズ開口部１２ａと、レンズ開口部１２ａを開閉するバリア装置１２ｂを備え、バリア筒１２の光軸後方側の外周部には、カム筒１４の内周部に形成されたカム溝に追従する不図示のカムフォロアが周方向に略等間隔で複数箇所突設されている。絞りユニット７、シャッターユニット８も、同様にカム筒１４の内周部に形成されたカム溝に追従できるように、不図示のカムフォロアが複数箇所突設されている。
【００１５】
第２レンズ保持枠５はシャッターユニット８と一体的に移動可能なように結合されている。カム筒１４の光軸後方側の外周部には、固定筒１１の内周部に形成されたカム溝１１ａに追従する不図示のカムフォロアが周方向に略等間隔で複数箇所突設されている。また、直進筒１３とカム筒１４とは、バヨネット結合等により結合されて、相対回転可能に光軸方向に一体に移動できるようになっている。
【００１６】
撮像素子保持ベース１０には第３レンズ保持枠６を光軸方向に移動し合焦動作を行わせるための駆動手段であるフォーカスモータ１５がビス固定されている。
【００１７】
フォーカスモータ１５には回転するロータと同軸のリードスクリュー１５ａが光軸方向と略平行に配置され、第３レンズ保持枠６に取り付けられたラック１６と噛合している。第３レンズ保持枠６は嵌合穴が両端に形成されたスリーブ６ａが設けられており、光軸と略平行に配置されるメインガイド軸１７が嵌挿される。対向する位置には、サブガイド軸１８が備えられ、第３レンズ保持枠６に設けられたＵ字溝６ｂと係合することで、第３レンズ保持枠６のメインガイド軸１７回りでの回転振れが抑制される。そして、ロータの回転によって第３レンズ保持枠を光軸方向にメインガイド軸１７に沿って移動可能に保持されている。
【００１８】
また、第３レンズ保持枠６にはねじりコイルバネ１９が組み込まれており、メインガイド軸１７、ラック１６、リードスクリュー１５ａのそれぞれのガタを片寄せしている。
【００１９】
以上の構成により、レンズ鏡筒後部にはフォーカスレンズ駆動ユニットが設けられており、カム筒１４の回転による繰り出し、繰り込み動作とは独立して、第３レンズ保持枠６を光軸方向に移動できるようになっている。
【００２０】
そして、不図示のデジタルカメラ等の撮像装置の電源スイッチがＯＮ操作されると、カム筒１４は、不図示の動力伝達機構を介して動力が伝わることで回転駆動されて、回転しながら固定筒１１のカム溝１１ａに沿って光軸方向前方に繰出される。カム筒１４のカム溝は、レンズ鏡筒の沈胴位置から撮影位置までの間でバリア筒１２、絞りユニット７、第２レンズ保持枠５およびシャッターユニット８が相対的に光軸方向前方に繰出されるようなリフト量を有している。
【００２１】
従って、カム筒１４の回転により、バリア筒１２、絞りユニット７、第２レンズ保持枠５およびシャッターユニット８は、直進筒１３により回転を規制された状態でカム筒１４に対して相対的に被写体側へ繰出される。また、直進筒１３とカム筒１４とは光軸方向に一体に移動する。
【００２２】
一方、撮像装置の電源スイッチがＯＦＦ操作されると、カム筒１４は、回転しながら光軸方向後方に繰り込まれる。バリア筒１２、絞りユニット７、第２レンズ保持枠５およびシャッターユニット８は、カム筒１４に対して相対的に光軸方向後方に繰り込まれていく。
【００２３】
以下、図４〜図６を参照して、本実施例に関するフォーカスレンズ駆動ユニットの構成について詳細に説明する。
【００２４】
図４はフォーカス駆動レンズユニットの要部斜視図である。図５、図６はフォーカス駆動レンズユニットを構成するラック１６とリードスクリュー１５ａとの噛合い状態を示した概略図である。
【００２５】
第３レンズ保持枠６には、スリーブ６ａが形成されている。スリーブ６ａは両端がメインガイド軸１７と係合するスリーブ穴６ｃおよび６ｄが形成されており、中央部にはスリーブ開口６ｅが形成されている。また、第３レンズ保持枠６には、サブガイド軸１８と係合するＵ字溝６ｂが形成されている。さらに、第３レンズ保持枠６には、ラック１６を支持するための支持穴６ｆおよび６ｇがスリーブ６ａ近傍に設けられている。スリーブ６ａには付勢部材２０が取り付けられるような引掛け爪６ｈが形成されている。
【００２６】
ラック１６は、リードスクリュー１５ａと噛合する本歯１６ａと、それに対向する押え歯１６ｂ及び対向歯１６ｃとを備えている。また、ラック１６には、第３レンズ保持枠６の支持穴６ｆ、６ｇと係合する支持軸１６ｄおよび１６ｅが形成されている。
【００２７】
対向歯１６ｃはリードスクリュー１５ａとは噛合しておらず、リードスクリュー１５ａと噛合している本歯１６ａが衝撃等で歯飛びを起こしそうになった時に、対向歯１６ｃがリードスクリュー１５ａとねじ山に当たることでラック１６の歯飛びを防止するようになっている。押え歯１６ｂは、ねじりコイルバネ１９の腕部１９ａにより、リードスクリュー１５ａに噛合う方向に押圧され、ねじりコイルバネ１９の腕部１９ｂは、ラック１６の背面部１６ｆに引っ掛けられている。これにより、押え歯１６ｂと本歯１６ａでリードスクリュー１５ａを挟み込み、押え歯１６ｂと本歯１６ａが常時リードスクリュー１５ａと噛合している状態になっている。
【００２８】
ここで、押え歯１６ｂは図６に示すように、本歯１６ａに対して所定角度θ１を有している。押え歯１６ｂがねじりコイルバネ１９の腕部１９ａにより押圧されることでラック１６に作用する反力Ｆは、本歯１６ａと垂直方向の分力Ｆ’と、分力Ｆ’と垂直方向成分として、分力Ｆ１が働くような設定になっている。このときの分力Ｆ’は押え歯１６ｂの弾性により吸収され、分力Ｆ１が第３レンズ保持枠６とメインガイド軸１７とのガタを片寄せしている。また、ねじりコイルバネ１９は、ラック１６を第３レンズ保持枠６の光軸方向端面に向けた方向へも付勢して、ラック１６と第３レンズ保持枠６とのガタ付きを防止し、光軸方向に安定して高精度に駆動できるようになっている。
【００２９】
姿勢差による影響を受けないようにガタの片寄せを効果的に行うためには、ねじりコイルバネ１９による付勢力Ｆ１および光軸方向への付勢力は、第３レンズ群３と第３レンズ保持枠６など駆動に関わる部材の自重を支えるのに十分な力が必要である。
【００３０】
また、押え歯１６ｂのリードスクリュー１５ａへの押圧力は、弱すぎると互いの噛合いが安定しない。強すぎると摩擦力による駆動損失負荷が大きくなる、リードスクリュー１５ａと押え歯１６ｂが食い付くことで動作が不安定になるなどの弊害が生じる。従って、ねじるコイルバネによる押圧力は精度の高い駆動が行える適切な押圧力になるように設定される。
【００３１】
しかしながら、第３レンズ群３や第３レンズ保持枠６などの駆動に関わる部材の重量が重い場合、精度の高い駆動が行える適切な押圧力と、効果的にガタを片寄せするのに十分な付勢力の両立が困難なことがある。
【００３２】
そこで、前述の付勢部材２０を第３レンズ保持枠６に取り付けることで、ガタの片寄せを効果的に補助している。
【００３３】
以下、本発明にかかる実施形態におけるフォーカスレンズ駆動ユニットの構成の特徴について図５〜図１０を参照して詳細に説明する。図７は第３レンズ保持枠６のガタの片寄せにかかる断面概略図である。
【００３４】
付勢部材２０には、第３レンズ保持枠６の引掛け爪６ｈと係合する引掛け孔２０ａが互いに対向するように設けられ、さらに第３レンズ保持枠６のスリーブ開口６ｅに入り込むように伸びる腕部２０ｂを形成している。腕部２０ｂはメインガイド軸１７に押圧されるように当接している。
【００３５】
付勢部材２０によって、第３レンズ保持枠６の引掛け爪６ｈにメインガイド軸１７に対して付勢力が作用することで、ガタを片寄せすることができる。また、付勢部材２０による引掛け爪６ｈに作用する付勢力は方向Ｆ２に働くような設定になっており、方向Ｆ１と略同一方向となっている。方向Ｆ１と方向Ｆ２が略同一方向になっていることで、互いの力が相殺されることはなく、より効果的に効率よく第３レンズ保持枠６とメインガイド軸１７とのガタを片寄せすることができる。
【００３６】
押え歯１６ｂをねじりコイルバネ１９の腕部１９ａにより押圧した時の分力の方向は、図８に示すように、押え歯１６ｂを本歯１６ａに対して所定角度θ２を設定することで、方向Ｆ１と逆方向の方向Ｆ３に働くようにすることもできる。
こ  の場合、付勢部材２０による第３レンズ保持枠６の付勢方向Ｆ２は方向３と略同一方向となるように付勢部材２０を取り付けることで、同様に効果的にガタの片寄せを行うことができる。
【００３７】
また、付勢部材２０の腕部２０ｂがメインガイド軸１７に当接する設定としたが、図９に示すように、腕部２０ｂとメインガイド軸１７の間にボール２１を挟むようにして配置してもよい。付勢部材２０によって、第３レンズ保持枠６の引掛け爪６ｈにメインガイド軸１７に対してボール２１を介して方向Ｆ２の付勢力が作用することで、ガタを片寄せすることができる。ボール２１を配置することで、駆動に影響を与える要因となる摩擦による負荷を低減することができ、より効率よく効果的にガタの片寄せを行うことができる。
【００３８】
他にも、付勢部材２０を図１０に示すように、マグネットで構成してもよい。
メインガイド軸１７は磁性材料とし、マグネットで構成された付勢部材２０をスリーブ６ａに接着などの固定手段によって固定することで、メインガイド軸１７と付勢部材２０の間に磁力による吸引力が発生し、第３レンズ保持枠６に方向Ｆ２の付勢力が働く。
【００３９】
このような構成とすることで、駆動に影響を与える要因となる摩擦による負荷をさらに低減することができ、より効率よく効果的にガタの片寄せを行うことができる。
【００４０】
次に、付勢力の方向Ｆ１〜Ｆ２の作用する作用点について詳細に説明する。
【００４１】
付勢力の方向Ｆ３については方向Ｆ１の逆となるので、詳細な説明を省略し、方向Ｆ１の場合について記述する。付勢力の方向Ｆ１およびＦ２の第３レンズ保持枠６に作用する作用点が共に、光軸方向におけるスリーブ穴６ｃおよび６ｄの間の範囲内にあることで、図９、図１０に示すようにスリーブ穴６ｃ、６ｄ内周の点Ａおよび点Ｂがメインガイド軸１７に当接付勢され、ガタが片寄せされる。
【実施例２】
【００４２】
その他の実施形態、実施例２について、図１１〜図１２を参照して説明する。図１１は実施例２における付勢力の作用点を示す断面概略図である。なお、この実施形態において実施例１と同一の要素には同一の符号を用い、詳細な説明を省略する。
【００４３】
実施例２では、付勢力の方向Ｆ１およびＦ２の第３レンズ保持枠６に作用する作用点が共に、光軸方向におけるスリーブ穴６ｃおよび６ｄの間の範囲外にある場合について説明する。
【００４４】
付勢力の方向Ｆ１がスリーブ穴６ｃより光軸方向で外側にある場合、第３レンズ保持枠６にはメインガイド軸１７に対して回転モーメントＭ１が働く。回転モーメントＭ１によって、スリーブ穴６ｃの内周の点Ｃおよびスリーブ穴６ｄの内周の点Ｄがメインガイド軸１７に当接付勢され、ガタが片寄せされる。
【００４５】
ここで、付勢部材２０はマグネットで、磁性材料であるメインガイド軸１７と磁力による吸引量で付勢力が働く構成で、付勢部材２０による付勢力の方向２の作用する作用点について説明する。
【００４６】
付勢部材２０による付勢力の方向２が方向１と同様にスリーブ穴６ｃより外側で作用する場合、図１１に示すように、方向１と略同一方向とすることで、第３レンズ保持枠６のメインガイド軸１７に対する回転モーメントＭ２が、回転モーメントＭ１と同じ向きに働く。このような構成とすることで、効果的にガタの片寄せを行うことができる。
【００４７】
付勢部材２０による付勢力の方向２の作用する作用点が、方向１とスリーブ６ａを挟んだ反対側である、スリーブ穴６ｄの外側に作用する場合、図１２に示すように、方向１と逆向きの方向に作用するように付勢部材２０を配置することで、第３レンズ保持枠６のメインガイド軸１７に対する回転モーメントＭ２が、回転モーメントＭ１と同じ向きに働く。このような構成とすることで、効果的にガタの片寄せを行うことができる。
【００４８】
以上、本発明の好ましい実施形態について説明したが、本発明はこれらの実施形態に限定されず、その要旨の範囲内で種々の変形および変更が可能である。
【００４９】
実施例２において付勢部材２０はマグネットで構成した場合として説明したが、実施例１と同様に、板ばねで構成してもよい。
【符号の説明】
【００５０】
１  第１レンズ群、２  第２レンズ群、３  第３レンズ群、
４  第１レンズ保持枠、５  第２レンズ保持枠、６  第３レンズ保持枠、
７  絞りユニット、８  シャッターユニット、９  撮像素子、
１０  撮像素子保持ベース、１１  固定筒、１２  バリア筒、１３  直進筒、
１４  カム筒、１５  フォーカスモータ、１６  ラック、１７  メインガイド軸、
１８  サブガイド軸、１９  ねじりコイルバネ、２０  付勢部材、２１  ボール
【図１】
2019113649.tif 000003
【図２】
2019113649.tif 000004
【図３】
2019113649.tif 000005
【図４】
2019113649.tif 000006
【図５】
2019113649.tif 000007
【図６】
2019113649.tif 000008
【図７】
2019113649.tif 000009
【図８】
2019113649.tif 000010
【図９】
2019113649.tif 000011
【図１０】
2019113649.tif 000012
【図１１】
2019113649.tif 000013
【図１２】
2019113649.tif 000014